(57)【要約】【課題】日常生活において災害時の為の生活水の保存を意識し実行する人はまだ少ない。改めて生活水の保存の意識を持たずとも常時自動的に新しい生活水が保存され、災害時には容易にこれを運び出せる災害時生活水貯水装置を提供する。【解決手段】家庭に引き込まれている水道の水道元栓バルプ３と家庭内の水洗トイレの受水槽バルプ４の途中に水流切替え器２と災害時生活水貯水セル（タンク）１を接続したもので、水洗トイレを使用する毎に災害時生活水貯水セル（タンク）１内の水が自動的に新しい水に替わると共に、災害時には給水側漏水防止栓５と排水側漏水防止栓６を切り離すことにより、災害時生活水貯水セル（タンク）１を容易にどこへでも移動し生活水として使用する事が出来る。各家庭に常備されれば災害時生活水に関する大きな改善となる。【選択図】図１
2013096224.tif 000002
【特許請求の範囲】
【請求項１】
一般住宅の敷地内の水道元栓から住宅内水洗トイレの受水槽の途中に、貯水セル（タンク）を接続してなる災害時生活水貯水装置。
【請求項２】
貯水セル（タンク）を接続時は貯水セル（タンク）を経由して水洗トイレの受水槽に給水され、貯水セル（タンク）を切り離し時は水洗トイレの受水槽に直接給水される為の水流切替え器を機能に持つ請求項１記載の災害時生活水貯水装置。
【請求項３】
水洗トイレ機能を持つ新築住宅やリフォーム住宅に、水流切替え器と貯水セル（タンク）を増設するだけで使用可能となる請求項１記載の災害時生活水貯水装置。
【発明の詳細な説明】
【技術分野】
【０００１】  この発明は災害時に備えた生活水を貯水する為の災害時生活水貯水装置に関する。
【背景技術】
【０００２】  地震や風水害の発生時に飲料水や生活水の不足が発生し避難生活に支障をきたしている。【０００３】  飲料水に関しては近年ペットボトル飲料が災害時用に生産備蓄され入手も比較的容易になってきているが、洗濯・トイレ・清掃などの生活水の確保がいまだ未解決である。
【発明が解決しようとする課題】
【０００４】  災害用に生活水を改めて貯水する為には、平常時より意識を持って貯水する設備の確保と設備の運用を心掛ける必要がある。現状では一部の公共機関を除き意識もまだまだ低く設備の提供もなされていない。課題は家庭で出来る今までにない容易な貯水の設備を提供する必要である。
【課題を解決する為の手段】
【０００５】  この発明は住宅の新築時やリフォーム時に災害時生活水貯水セル（タンク）１を設置することで、日常生活の中で特に意識することなく自動的に新しい生活水の貯水が達成され続けることができる。
【０００６】  この発明は災害時に設置された災害時生活水貯水セル（タンク）１を給水側漏水防止栓５と排水側漏水防止栓６を切り離す事で、容易に災害時生活水貯水セル（タンク）１を移動することができる。
【実施例】
【０００７】  この発明の実施例を図１、図２及び図３に示す図画で詳述する。【０００８】  この発明の機能は家庭に引き込まれた水道の水道元栓バルプ３と家庭内の水洗トイレの受水槽バルプ４の途中に、災害時生活水貯水セル（タンク）１と水流切替え器２が接続され構成される。【０００９】  災害時生活水貯水セル（タンク）１は合成樹脂・金属・化学材料などで成形される。【００１０】  水流切替え器２は水道管並びに水道管止水栓により形成される。【００１１】  水流切替え器２は、平常時は水道元栓バルプ３から給水され、給水管３１、開放されたＡコック７、給水管５１を経て給水側漏水防止栓５より災害時生活水貯水セル（タンク）１に流入する仕組みを持つ。【００１２】  災害時生活水貯水セル（タンク）１に給水された水道水は、貯水室内区切板１２、１３、１４の間を流れ満水になると排水側漏水防止栓６より排水管６１へ排水される仕組みを持つ。【００１３】  排水管６１から排水された水道水は水流切替え器２の、開放されたＢコック８、排水管４１を経て水洗トイレの受水槽バルプ４へ流入する仕組みを持つ。【００１４】  水流切替え器２のＣコック９は平常時は水道水が流れないよう閉鎖される仕組みを持つ。【００１５】  結果として水洗トイレ使用後に水洗トイレの受水槽バルプ４が使用されると、災害時生活水貯水セル（タンク）１は水道水が循環する為常に新しい水道水が貯水される仕組みを持つ。【００１６】  災害時は水流切替え器２のＡコック７、Ｂコック８を閉鎖し、Ｃコック９を開放する事により災害時生活水貯水セル（タンク）１への給水は断たれる仕組みを持つ。【００１７】  給水の断たれた災害時生活水貯水セル（タンク）１の給水側漏水防止栓５と排水時漏水防止栓６は、図２のゴムパッキング１７をネジ込み式で抑え込んだ構成であり容易に取りはづしが出来る仕組みを持つ。【００１８】  取りはずされた給水側漏水防止栓５と排水側漏水防止栓６に替えて、図３のゴムパッキング１７をネジ込み式で抑え込んだ貯水セル漏水防止蓋１５、１６を災害時生活水貯水セル（タンク）１に取り付ける。【００１９】  災害時生活水貯水セル（タンク）１は水流切替え器２と完全に切り離される為、容易に移動が可能となる。【００２０】  災害が復旧した後は災害時生活水貯水セル（タンク）１を給水側漏水防止栓５と排水側漏水防止栓６により水流切替え器２に取り付け、Ａコック７、Ｂコック８を開放し、Ｃコック９を閉鎖に設定すれば再貯水可能となる。【００２１】  貯水室内区切版１２、１４は災害時生活水貯水セル（タンク）１の上部壁面１０より空気が流れる部分の隙間分を下げた位置に固定され、貯水室内区切版１３は下部壁面１１に密着し固定された仕組みを持つ。【００２２】  災害時生活水貯水セル（タンク）１を初めて使用するか又は再度使用するときに、中にある空気を注水しながら抜いてゆく為、災害時生活水貯水セル（タンク）１の上部壁面１０は給水側漏水防止栓５の位置を排水側漏水防止栓６より低い位置に来るように成形された仕組みを持つ。【００２３】  災害時生活水貯水セル（タンク）１は、その容量により運搬を楽にする為の取っ手、車輪、台車を備えたものも含まれる。【００２４】  水流切替え器２は、Ａコック７、Ｂコック８、Ｃコック９を一つの装置に組み込み開閉操作を１回で行えるものや、装置の途中に逆流防止弁やフィルタを入れたものも含まれる。
【発明の効果】
【００２５】  この発明は近年防災対策で考慮され始めた「蓄電の意識向上」を、さらに「畜水の意識向上」へと意識改革を促すものである。
【００２６】  この発明は日常生活の中で意識せずとも常時災害用生活水が自動的に貯水される事で、災害時の生活水不足を大きく改善する有効な手立てとなる。
【００２７】  この発明は現行の技術をもってローコストで構築でき、新築住宅やリフォーム住宅に災害時を考慮した新たな機能として即時取り入れる事が出来る。多くの家庭で貯水された災害時生活水は避難所生活の大きな改善に繋がるものである。
【図面の簡単な説明】
【００２８】
【図１】災害時生活水貯水セル（タンク）の構成図
【図２】給水側及び排水側漏水防止栓の断面図
【図３】貯水セル漏水防止蓋の断面図
【符号の説明】１  災害時生活水貯水セル（タンク）
２  水流切替え器
３  水道元栓バルプ
４  水洗トイレの受水槽バルプ
５  給水側漏水防止栓
６  排水側漏水防止栓
７  Ａコック（開放時：災害時生活水貯水セル（タンク）に送水）
８  Ｂコック（解放時：水洗トイレの受水槽に送水）
９  Ｃコック（解放時：水洗トイレの受水槽に送水）
１０  災害時生活水貯水セル（タンク）の上部壁面
１１  災害時生活水貯水セル（タンク）の下部壁面
１２  貯水室内区切版
１３  貯水室内区切版
１４  貯水室内区切版
１５  貯水セル漏水防止蓋
１６  貯水セル漏水防止蓋
１７  ゴムパッキング
【図１】
2013096224.tif 000003
【図２】
2013096224.tif 000004
【図３】
2013096224.tif 000005